(57)【特許請求の範囲】
【請求項１】
インターネットに接続されたデータ管理サーバと多数のユーザーの情報端末装置を構成要素とし、夫々の情報端末装置は、１日毎の日々の情報を登録単位として生活情報が蓄積される個別データベースを構築するための個別データベースアプリケーションを実行可能に構成すると共に、データ管理サーバには、上記個別データベースの記録項目と共通の記録項目を有する統合データベースを構成し、
各情報端末装置には、個別データベースアプリケーションの実行時に動作する、各記録項目の入出力手段と、上記インターネットを介して上記データ管理サーバの統合データベースに個別データベースから各記録項目のデータを送信するための送信手段と、上記インターネットを介して上記データ管理サーバから情報を受信するための受信手段と、ＷＷＷブラウザ起動手段を構成すると共に、各記録項目のデータ表示部分と、データ管理サーバから送信された情報の表示部分と、送信手段及び受信手段を夫々起動させるための起動用ボタン表示と、ＷＷＷブラウザ起動用ボタン表示とを表示装置に表示させる表示手段を構成し、
データ管理サーバには、インターネットを介して接続状態の各情報端末装置に、各個別データベースの記録項目に関する所定のデータやその他の情報を送信する送信手段と、各情報端末装置から、夫々の個別データベースの記録項目に関するデータを受信して統合データベースに記録する受信手段と、統合データベースに記録されているデータに関してＷＷＷブラウザで閲覧可能なコンテンツを提供するコンテンツ提供手段とを構成し、
更に，データ管理サーバには，各情報端末装置に送信する情報の一つとして，事物に関する問いのメッセージを作成する手段を構成すると共に，この問いのメッセージに対しての各情報端末装置からの回答に対して得点を与え，蓄積する得点蓄積手段を構成し，
また各情報端末装置の表示装置には，データ管理サーバから送信された問いのメッセージに対しての回答入力部分と，データ管理サーバの得点蓄積手段に蓄積された得点の表示部分を，表示手段により表示させ，
各情報端末装置において、ＷＷＷブラウザ起動用ボタン表示により起動されるＷＷＷブラウザは、起動時にデータ管理サーバのコンテンツ提供手段が提供するコンテンツの閲覧に移行するように設定されていることを特徴とする生活情報統合データベースシステム
【請求項２】
複数の情報端末装置はイントラネットを構成していて、イントラネットを介してインターネットに接続する構成としたことを特徴とする請求項１に記載の生活情報統合データベースシステム
【請求項３】
データ管理サーバは、ユーザーの認証を行う構成として、登録しているユーザーの情報端末装置又はイントラネットのみにサービスを提供する構成としたことを特徴とする請求項１又は２に記載の生活情報統合データベースシステム
【発明の詳細な説明】
【０００１】
【発明の属する技術分野】
本発明は生活情報統合データベースシステムに関するものである。
【０００２】
【従来の技術】
各人が日々の生活をおくる中では、例えば天気や動植物等の自然に関する事柄、旅行等における観光対象の様子、釣り等の記録、日々の献立、ショッピング情報、家計簿等のさまざまな個人的な情報が生まれてくる。また個人的な情報だけでなく、個人が所属している団体の活動に伴うさまざまな共通の情報も生まれてくる。
【０００３】
これらの情報を後日有効利用するという観点からは、ａ．個人では「日記帳」等に記録したり、団体では「日誌」、「日報」、「記録」等に記録して、それらの内容を後日参照することや、ｂ．インターネットの隆盛により、個人や団体がホームページを開設し、このホームページにおいて、各種情報を他者が閲覧可能な情報として発信することが従来行われていることであるが、一般的には、これらの情報を有効利用することは行われていない。
【０００４】
【発明が解決しようとする課題】
このため従来は次のような課題があった。
まず、ａに関しては、「日記帳」等に記載された個人の情報や、「日誌」等に記載された特定の団体の情報を第三者が利用することは一般的にはできず、また当事者にしても、「日記帳」、「日誌」等に記載された内容を所望の条件で集約して統計的等において価値がある情報に加工することは一般的には行われていない。
【０００５】
またｂに関しては、上記のようなホームページでは、第三者が参照したい必要な情報は、その一部のみがコンテンツの一部として含まれている場合が多く、必要な情報が集約されていることは殆どない。換言すると、一般的には必要な情報は膨大な情報量を有するインターネット空間内に低い密度で散乱し、点在していることになる。このため、その中から必要な情報を得るのは、いわゆる検索エンジンを用いたとしても困難な場合が多く、必要な情報が１００％得られない場合にも膨大な時間を必要とする。
【０００６】
一方、膨大な時間を用いて関連する多量の情報を得たとしても、これら情報から価値ある情報を得るためには、これらの情報を有機的に関連付けて処理する必要があるが、このような処理は一般的には困難である。
本発明は、以上のような課題の解決を図ることを目的とするものである。
【０００７】
【課題を解決するための手段】
上述した課題を解決するために本発明では、インターネットに接続されたデータ管理サーバと多数のユーザーの情報端末装置を構成要素とし、夫々の情報端末装置は、１日毎の日々の情報を登録単位として生活情報が蓄積される個別データベースを構築するための個別データベースアプリケーションを実行可能に構成すると共に、データ管理サーバには、上記個別データベースの記録項目と共通の記録項目を有する統合データベースを構成し、
各情報端末装置には、個別データベースアプリケーションの実行時に動作する、各記録項目の入出力手段と、上記インターネットを介して上記データ管理サーバの統合データベースに個別データベースから各記録項目のデータを送信するための送信手段と、上記インターネットを介して上記データ管理サーバから情報を受信するための受信手段と、ＷＷＷブラウザ起動手段を構成すると共に、各記録項目のデータ表示部分と、データ管理サーバから送信された情報の表示部分と、送信手段及び受信手段を夫々起動させるための起動用ボタン表示と、ＷＷＷブラウザ起動用ボタン表示とを表示装置に表示させる表示手段を構成し、
データ管理サーバには、インターネットを介して接続状態の各情報端末装置に、各個別データベースの記録項目に関する所定のデータやその他の情報を送信する送信手段と、各情報端末装置から、夫々の個別データベースの記録項目に関するデータを受信して統合データベースに記録する受信手段と、統合データベースに記録されているデータに関してＷＷＷブラウザで閲覧可能なコンテンツを提供するコンテンツ提供手段とを構成し、
更に，データ管理サーバには，各情報端末装置に送信する情報の一つとして，事物に関する問いのメッセージを作成する手段を構成すると共に，この問いのメッセージに対しての各情報端末装置からの回答に対して得点を与え，蓄積する得点蓄積手段を構成し，
また各情報端末装置の表示装置には，データ管理サーバから送信された問いのメッセージに対しての回答入力部分と，データ管理サーバの得点蓄積手段に蓄積された得点の表示部分を，表示手段により表示させ，
各情報端末装置において、ＷＷＷブラウザ起動用ボタン表示により起動されるＷＷＷブラウザは、起動時にデータ管理サーバのコンテンツ提供手段が提供するコンテンツの閲覧に移行するように設定されていることを特徴とする生活情報統合データベースシステムを提案する。
【０００８】
また本発明では、上記の構成において、複数の情報端末装置はイントラネットを構成していて、イントラネットを介してインターネットに接続する構成とすることを提案する。
【０００９】
また本発明では、以上の構成において、データ管理サーバは、ユーザーの認証を行う構成として、登録しているユーザーの情報端末装置又はイントラネットのみにサービスを提供する構成とすることを提案する。
【００１０】
本発明によれば、本システムを構成する多数のユーザーが日々の生活をおくる中で得られた情報、即ち日誌的な情報は、情報端末装置において個別データベースアプリケーションを起動して、情報端末装置の表示装置に表示される画面中の所定の入力個所に入力することにより、個別データベースに登録することができる。
【００１１】
そして、この個別データベースに登録した内容は、表示装置の画面中に表示される起動用ボタン表示を動作させ、インターネットを介してのデータ管理サーバへのデータの送信手段を起動することにより、データ管理サーバに送信して、その統合データベースに登録することができる。
【００１２】
このような情報端末装置からのインターネットを介してのアクセスに対して、データ管理サーバは、送信された情報端末装置のユーザー認証を行った後、上記日誌的情報を受信して統合データベースに登録する。
【００１３】
尚、各情報端末装置における個別データベースへの登録に際しての各作業は、インターネットを介してデータ管理サーバに接続している状態では勿論のこと、接続していない状態において行うこともでき、後者の場合には、データ管理サーバの統合データベースへの一括登録が可能である。
【００１４】
データ管理サーバから情報端末装置に対して所定の情報、例えばデータ管理サーバの運用者からの各種メッセージや他のユーザーからのメッセージの有無やその件数等の情報は、表示装置の画面中に表示される起動用ボタン表示を動作させ、インターネットを介してのデータ管理サーバからの情報の受信手段を起動することにより、受信して、情報端末装置の表示装置の画面中に表示することができる。
【００１５】
情報端末装置の個別データベースアプリケーションは、その起動毎にデータ管理サーバからの情報の受信手段を起動するようにすることができ、このようにすれば、起動毎に、データ管理サーバから情報端末装置に対して所定の情報、例えばデータ管理サーバの運用者からの各種メッセージや他のユーザーからのメッセージの有無やその件数等を情報端末装置の表示装置の画面中に表示することができる。
【００１６】
こうして情報端末装置の個別データベースには、各ユーザーの日誌的なデータが蓄積されると共に、データ管理サーバの統合データベースに多数のユーザーの同様な日誌的な情報が共有のデータとして次第に蓄積される。
【００１７】
データ管理サーバのコンテンツ提供手段は、このように統合データベースに統合的に蓄積された各ユーザーの日誌的なデータを、ＷＷＷブラウザが閲覧可能ななコンテンツとして提供する。
【００１８】
すなわち、情報端末装置の個別データベースアプリケーションの実行時画面のＷＷＷブラウザ起動用ボタン表示によりＷＷＷブラウザを起動することにより、ＷＷＷブラウザはデータ管理サーバのコンテンツ提供手段が提供するコンテンツの閲覧に移行し、所望のコンテンツを選択して多数のユーザーの日誌的な情報を個別的に又は統計的に閲覧することができる。
【００１９】
データ管理サーバからのメッセージを情報端末装置の個別データベースアプリケーションの実行時画面のメッセージ表示部分に表示することにより、データ管理サーバの運用者側から情報端末装置のユーザーに対して、何らかの行動を促すことができる。この行動は、クイズへの回答等の娯楽的側面を有するものであったり、アンケートに対しての回答であったりすることができ、これらの行動に対しては、ユーザーに対して蓄積可能な得点を付与することができる。
【００２０】
【発明の実施の形態】
次に本発明の実施の形態を図を参照して説明する。
図１は本発明に係る生活情報統合データベースシステムの実施の形態を概念的に示す系統説明図である。
まず図中符号１（１ａ、１ｂ、１ｃ、１ｄ、１ｅ、…）は、学校等に設置された情報端末装置を示すもので、これらの情報端末装置１はオープンな情報ネットワークであるインターネット２に接続されている。そしてこれらの情報端末装置１の夫々は生活情報の個別データベースアプリケーションを実行可能に構成している。符号３（３ａ、３ｂ、３ｃ、３ｄ、３ｅ、…）は、これらの個別データベースアプリケーションにより構築される個別データベースを示すものである。
【００２１】
尚、図１における各情報端末装置１（１ａ、１ｂ、１ｃ、１ｄ、１ｅ、…）は、必ずしも１台の情報端末装置ではなく、図示は省略しているが夫々の情報端末装置が、イントラネットを構成している複数の情報端末装置の集合体であっても良い。
【００２２】
符号４はインターネット２に接続されているデータ管理サーバを示すもので、このデータ管理サーバ４には、インターネット２に接続状態の各情報端末装置１に、各個別データベース３の記録項目に関する所定の情報、例えばメッセージを送信する送信手段と、各情報端末装置１から個別データベース３の記録項目に関するデータを受信して統合データベース５に記録する受信手段と、統合データベース５に記録されているデータに関してＷＷＷブラウザで閲覧可能なコンテンツを提供するコンテンツ提供手段とを構成している。
【００２３】
一方、各情報端末装置１には、図示は省略しているが、上記個別データベースアプリケーションの実行時に動作する、各記録項目の入出力手段と、上記インターネットを介して上記データ管理サーバの統合データベースに個別データベースから各記録項目のデータを送信するための送信手段と、上記インターネットを介して上記データ管理サーバから情報を受信するための受信手段と、ＷＷＷブラウザ起動手段を構成しており、また各記録項目のデータ表示部分と、データ管理サーバから送信された情報の表示部分と、送信手段及び受信手段を夫々起動させるための起動用ボタン表示と、ＷＷＷブラウザ起動用ボタン表示とを表示装置に表示させる表示手段を構成している。
【００２４】
以上の構成において、本発明の生活情報統合データベースシステムを、学校における教育の一環として、学級日誌の作成、蓄積等に利用した一例を説明する。
【００２５】
図２は、個別データベースアプリケーション（以降、単にアプリケーションとも云う。）を起動した状態の情報端末装置１の表示装置の画面を示すものである。
画面の左側には、まず上部に１カ月表示のカレンダー１０が表示されており、このカレンダーは、アプリケーションを起動した時点の情報端末装置１のシステム時計による日時を含む月の表示であり、当日の表示１２が下側に配置されている。カレンダー１０の月は、左右側の操作用ボタン１１をマウス等でクリックすることにより、変更することができる。
【００２６】
当日の表示１２の右側には、日直当番の氏名入力部分１３が配置されており、その下側には、休んだ人の入力部分１４が構成されている。
【００２７】
また当日の表示１２の下側には、天気入力部分１５と朝の風景入力部分１６が配置されており、これらの入力部分１５、１６に対する入力は、図示は省略しているがマウス等による入力動作により表示される天気又は朝の風景を表示する多数の図形素材を選択して行えるように構成している。
【００２８】
これらの入力部分１４、１５、１６の下側には、学習科目や、夫々の学習の内容と、最も印象的な学習内容に印を付す各入力部分を有する学習結果入力部分１７が配置されている。学習科目の入力は学習科目を表示する画像の選択により行い、学習内容の入力はテキスト入力により行うと共に、印入力部分は、欄の選択により所定の画像が選択された欄に入力される。
【００２９】
一方、画面の右側には、上部にマウス等で操作可能な複数の操作用ボタンが表示されている。ボタン１８は送信ボタンであり、この送信ボタン１８は、画面上に開かれている日誌のデータをデータ管理サーバ４に送信する。一方、ボタン１９はデータ管理サーバ４からデータを受信するための受信ボタンである。ボタン２０はＷＷＷブラウザ起動用のボタンであり、このボタン２０を操作することによりＷＷＷブラウザが起動すると共に、データ管理サーバ４のコンテンツ提供手段８が提供するコンテンツを閲覧するためのＵＲＬにリンクする。ボタン２１はアプリケーションを終了するためのボタンであり、このボタン２１の操作では、現在開かれている日誌のデータが個別データベース３に保存された後、アプリケーションが終了する。またボタン２２はヘルプ機能を起動するボタンである。
【００３０】
これらの複数のボタンの下側には、左側からコイン枚数表示部分２３、メッセージ件数表示部分２４、お天気予想表示入力部分２５が配置されている。ここで、コイン枚数表示部分２３は、データ管理サーバ４から付与された得点をコインの枚数で示すものである。
【００３１】
お天気予想表示入力部分２５は、データ管理サーバ４において、無作為に、又は適宜のルールに基づいて選択され、情報端末装置１に送信されて表示された対象ユーザー、この場合、対象の学校における当日の天気を予想して、入力し、その入力結果をデータ管理サーバ４において判定して、その判定結果を、予想を入力した情報端末装置１に送信するものである。
このお天気予想表示入力部分２５は、マウスのクリック等により、予想選択窓が生成されて、上記対象となる学校の情報、例えば名称、住所と周囲環境（例えば海辺、山間部、住宅地等）の表示欄と、お天気の選択入力部分が形成され、予想した天気に対応する画像等を選択して入力を行うことができる。
【００３２】
お天気予想の入力された内容は、上記送信ボタン１８のクリックによりデータ管理サーバ４に送信され、データ管理サーバ４において、上記対象となる学校に対応する情報端末装置１から送信された日誌情報中の天気の情報と比較する。すなわち、データ管理サーバ４は、送信された予想の内容を、対象となる学校の日誌情報における上記天気入力部分１５のデータと比較して当否を判定する。
【００３３】
判定の結果、予想が当たっていた場合には、データ管理サーバ４は、その旨のメッセージを、予想したユーザーの情報端末装置１に送信し、このメッセージが上記お天気予想表示入力部分２５に表示される。
【００３４】
この際、データ管理サーバ４は、予想が当たったユーザーに得点を与え、これを得点蓄積手段に記録し、この得点蓄積手段の内容は、情報端末装置１に送信されて上記コイン枚数表示部分２３に表示される。
【００３５】
尚、データ管理サーバ４の管理者における各ユーザーへの得点の付与は、この他、後述するプロジェクトに対する対応等の適宜のユーザーの行動に対して行うことができる。
【００３６】
次に、上記表示、入力部分２３、２４、２５の下側には、プロジェクト表示入力部分２６が配置されている。このプロジェクトは、データ管理サーバ４からの依頼等に関するメッセージ、例えば「つくしを見つけましたか？」、「桜の開花状態は？」、「チューリップは咲きましたか？」等のメッセージに対して各ユーザーが回答を行うという形式であり、いわばアンケートの収集やデータ収集に対応するものである。プロジェクト表示入力部分２６は、左側がデータ管理サーバ４からのメッセージの表示部分で、右側が回答入力欄である。
【００３７】
次いで、上記プロジェクト表示入力部分２６には出来事等を絵や文字で記入する出来事等入力部分２７と、その下側に、この日誌を作成している担当者、即ち日直の感想等を記入する感想等記入部分２８が配置されており、その右側には、学校のイントラネット等における指導者（先生）からのメッセージ表示部分２９が配置されている。
【００３８】
また左右の下側には、対象日を一日毎に前後変更させるためのボタン３０が配置されており、それらの間には適宜のメッセージ表示部分３１が配置されている。
【００３９】
次に図３は、上記ＷＷＷブラウザ起動用のボタン２０をマウスによりクリックしてＷＷＷブラウザを起動させることによりリンクした、データ管理サーバ４のコンテンツ提供手段８が提供するコンテンツを閲覧するためのサイトのトップページを示すものである。
【００４０】
このサイトは、画面上に示されるように、データ管理サーバ４の統合データベース５に蓄積されたデータを統合的に閲覧することができるもので、各機能に対応したボタンが配置されている。
【００４１】
ボタン３２ａ、３２ｂは、生活情報統合データベースシステムの一つの形態として、学校の日誌を統合化するシステムに参加しているユーザー、即ち学校の各チーム又は学級が入力した日誌を閲覧するためのボタンである。このボタン３２ａ、３２ｂをマウスによりクリックして、図４に示されるような学校及びチーム等の選択画面を経て閲覧される日誌の表示内容の一例を図５に示している。
【００４２】
ボタン３３ａ、３３ｂは、統合データベース５に蓄積されているデータを多様な形式で検索、統計処理、並べ替え等の処理を行って閲覧を行えるものである。
【００４３】
ボタン３４ａ、３４ｂは、データ管理サーバ４のメッセージ保存手段により保存されている各ユーザー（学級、チーム）相互のメッセージやデータ管理サーバ４の運営者からのメッセージを閲覧するためのもので、上記メッセージ件数表示部分２４に表示されている件数分の新規のメッセージの他、過去のメッセージを閲覧することができる。
【００４８】
ボタン３５ａ、３５ｂは上述したお天気予想に関する内容を閲覧可能なもので、上記対象となる学校等の詳細な情報やお天気予想の結果等を閲覧することができる。
【００４４】
ボタン３６ａ、３６ｂは、上記プロジェクトに関するもので、プロジェクトに関する結果、例えば各ユーザーから送信された情報等を統合的に閲覧することができる。
【００４５】
ボタン３７ａ、３７ｂは、上記コイン枚数表示部分２３の内容に関するもので、コインに関する情報、例えば上記コイン枚数表示部分２３にも表示される枚数の他、所定のコインが蓄積された際に得られるサービスや賞品等に関する情報が得られる。
【００４６】
以上の構成により、本発明では、本システムを構成する多数の学校のチーム又は学級の学生たちが日々の生活をおくる中で得られた情報を、情報端末装置の個別データベースに、各ユーザーの日誌的なデータとして蓄積すると共に、データ管理サーバの統合データベースに多数のユーザーの同様な日誌的な情報が共有のデータとして次第に蓄積され、これをデータ管理サーバのコンテンツ提供手段により、ＷＷＷブラウザが閲覧可能なコンテンツとして提供することにより、統合的に有効利用することができる。
【００４７】
以上の実施の形態では、本発明のシステムの対象を、学校における日誌としているが、この他、個人を各ユーザーとして、例えば日々の生活の日記を対象としたり、場合によっては団体等の日誌を対象とすることもできる。
【００４８】
尚、本発明において、データ管理サーバ４の統合データベース５に蓄積するデータの項目は、情報端末装置１の個別データベース３に登録する項目から適宜選択したものとすることもでき、この場合、個別データベースアプリケーションには、データ管理サーバ５への送信の可否を各項目毎に設定するように構成することができる。
【００４９】
【発明の効果】
本発明は以上の通りであるので、以下のような効果がある。
ａ．本システムを構成する多数の個人のユーザーが日々の生活をおくる中で得られた情報、例えば天気や動植物等の自然に関して得られた事柄、旅行において得られた観光対象等の様子、釣り等の成果、日々の献立、ショッピング情報、家計簿等の様々な情報や、団体の活動により得られた様々な情報を、データ管理サーバに送信して、統合データベースに統合的に蓄積して、後日有効利用することができる。
ｂ．インターネット等のインターネットに公開されているホームページとは異なり、多数の個人や団体が得た情報は、集約されて蓄積されているため、第三者が参照したい必要な情報を、迅速に、確実に得ることができる。
ｃ．学校の日誌に適用した場合には、娯楽的な側面や、得点制を適用する等により、学級日誌の作成に対する意識を高揚すると共に、蓄積されたデータを多方面から閲覧すること等により、学習意欲の向上をも図ることができる。
【図面の簡単な説明】
【図１】  本発明に係る生活情報統合データベースシステムを概念的に示す系統説明図である。
【図２】  本発明の統合データベースにおいて、個別データベースアプリケーション実行時の画面の一例を示すものである。
【図３】  本発明の統合データベースにおいて、ＷＷＷブラウザによりデータ管理サーバの提供するコンテンツを閲覧している状態の画面の一例を示すものである。
【図４】  本発明の統合データベースにおいて、ＷＷＷブラウザによりデータ管理サーバの提供するコンテンツを閲覧している状態の画面の他例を示すものである。
【図５】  本発明の統合データベースにおいて、ＷＷＷブラウザによりデータ管理サーバの提供するコンテンツを閲覧している状態の画面の更に他の例を示すものである。
【符号の説明】
１（１ａ、１ｂ、１ｃ、１ｄ、１ｅ、…）  情報端末装置
２  インターネット
３（３ａ、３ｂ、３ｃ、３ｄ、３ｅ、…）  個別データベース
４  データ管理サーバ
５  統合データベース
【図１】
0003755742.tif 000002
【図２】
0003755742.tif 000003
【図３】
0003755742.tif 000004
【図４】
0003755742.tif 000005
【図５】
0003755742.tif 000006